(57)【特許請求の範囲】
【請求項１】
屋外に放置する下水道工事で用いる合成樹脂製の配管部材の変形を防止する配管部材の変形防止方法において、シャーシ部に回動自在に支持され、かつ周面で前記配管部材を支持する左右に配した複数の支持ローラと、少なくとも一つの支持ローラを低速で回転させる回転駆動部とを有する回転支持器を、前記配管部材を放置する放置面に置くとともに、シャーシ部に回動自在に支持され、かつ周面により前記配管部材を支持する左右に配した複数の支持ローラを有する空転支持器を、前記放置面に置き、前記回転支持器の支持ローラにより前記配管部材の任意の位置を支持するとともに、前記空転支持器の支持ローラにより前記配管部材の他の位置を支持し、前記回転駆動部により、前記配管部材が数秒から数分で１回転するように前記支持ローラを回転させることを特徴とする配管部材の変形防止方法。
【請求項２】
前記支持ローラの上方に、前記シャーシ部に回動自在に支持される複数の規制ローラを配することにより、前記配管部材の横方への変位を規制することを特徴とする請求項１記載の配管部材の変形防止方法。
【発明の詳細な説明】
【０００１】
【発明の属する技術分野】
本発明は、屋外に放置する下水道工事で用いる合成樹脂製の配管部材の変形を防止する配管部材の変形防止方法に関する。
【０００２】
【背景及び課題】
一般に、下水道工事では、多数の合成樹脂製の配管部材（いわゆる塩ビ管）を順次連結して地中に埋設する工事が行われる。通常、配管部材は設置場所の近くに放置されるが、屋外にそのまま放置された場合、図４に仮想線で示す配管部材Ｐｒのように、その上面Ｐｕが直射日光Ｌに晒されるため、配管部材Ｐｒの上面Ｐｕ側が下面Ｐｄ側よりも膨張量が多くなり、結局、配管部材Ｐｒは直射日光Ｌに晒される側が山となる変形（湾曲）を生じてしまう。
【０００３】
この結果、実際の工事では、設置する際に、変形した配管部材Ｐを作業者が変形を矯正する方向に力を加えながら設置作業を行なう必要があるなど、設置作業が大変となり、余計な労力と工数が費やされてしまうとともに、質の高い施工工事を行うことができない問題があり、従来より、このような問題を解消できる変形防止装置及び変形防止方法が要請されていた。
【０００４】
本発明は、このような従来の要請に応えたものであり、配管部材の変形を確実に防止し、余計な労力と工数が費やされる問題を解消するとともに、施工品質の向上及び均質化を図り、しかも、容易かつ安価に実施できるようにした配管部材の変形防止方法の提供を目的とする。
【０００５】
【課題を解決するための手段及び実施の形態】
本発明に係る配管部材Ｐの変形防止方法は、屋外に放置する下水道工事で用いる合成樹脂製の配管部材Ｐ，Ｐｓの変形を防止するに際し、シャーシ部２に回動自在に支持され、かつ周面で配管部材Ｐ，Ｐｓを支持する左右に配した複数の支持ローラ３ａ，３ｂ…と、少なくとも一つの支持ローラ３ａ，３ｂ…を低速で回転させる回転駆動部４とを有する回転支持器Ｕを、配管部材Ｐ，Ｐｓを放置する放置面Ｆに置くとともに、シャーシ部１２に回動自在に支持され、かつ周面により配管部材Ｐ，Ｐｓを支持する左右に配した複数の支持ローラ１３ａ，１３ｂ…を有する空転支持器Ｕｓを、放置面Ｆに置き、回転支持器Ｕの支持ローラ３ａ，３ｂ…により配管部材Ｐ，Ｐｓの任意の位置Ｘｏを支持するとともに、空転支持器Ｕｓの支持ローラ１３ａ，１３ｂ…により配管部材Ｐ，Ｐｓの他の位置Ｘｓを支持し、回転駆動部Ｕにより、配管部材Ｐ，Ｐｓが数秒から数分で１回転するように支持ローラ３ａを回転させるようにしたことを特徴とする。この場合、発明の好適な態様により、支持ローラ３ａ，３ｂ…，１３ａ，１３ｂ…の上方に、シャーシ部２，１２に回動自在に支持される複数の規制ローラ１１ａ，１１ｂ…を配することにより、配管部材Ｐ，Ｐｓの横方への変位を規制することができる。
【０００６】
【実施例】
次に、本発明に係る好適な実施例を挙げ、図面に基づき詳細に説明する。
【０００７】
まず、本実施例に係る変形防止方法に用いる変形防止装置１の構成について、図１〜図３を参照して説明する。
【０００８】
例示の変形防止装置１は、回転支持器Ｕと空転支持器Ｕｓを備える。回転支持器Ｕは、図１及び図２に示すように、配管部材Ｐを放置する場所（放置面Ｆ）に置くことができるシャーシ部２を有し、このシャーシ２の全体形状は、正面視（図１）をＵ形に形成するとともに、平面視（図２）を矩形に形成する。したがって、シャーシ２は、上面から下方にＵ形に窪んだＵ形空間Ｓｕを有し、このＵ形空間Ｓｕに、配管部材Ｐを収容できる。なお、２０…は、シャーシ２の底面に設けた複数の脚部を示す。
【０００９】
また、シャーシ部２は、内部空間Ｓｉを有し、この内部空間Ｓｉに、図２に示すように、左右前後に配した四つ（一般的には複数）の支持ローラ３ａ，３ｂ，３ｃ，３ｄを回動自在に支持する。この場合、右側の支持ローラ３ａと３ｃを支持するに際しては、シャーシ部２の前後面における右下の内壁面に、前後一対の軸受部２１ｐ，２１ｐを設け、この軸受部２１ｐ，２１ｐにより、前後一対の支持ローラ３ａと３ｃを取付けた右側のシャフト２２ｐを回動自在に支持する。なお、左側の支持ローラ３ｂと３ｄも右側の支持ローラ３ａと３ｃと対称となるように同様に支持する。そして、Ｕ形空間Ｓｕを形成する底面部２ｄに、各支持ローラ３ａ…に対応する開口部２ｄｓ…を形成し、この開口部２ｄｓ…から、各支持ローラ３ａ…の一部をＵ形空間Ｓｕに露出させる。
【００１０】
これにより、各支持ローラ３ａ…の周面により配管部材Ｐを支持することができる。この場合、支持ローラ３ａ…と３ｃ…間の間隔は、複数の異なる径の配管部材Ｐ，Ｐｓを支持できる間隔を選定する。図１は、径２０〔ｍｍ〕の配管部材Ｐと径１５〔ｍｍ〕の配管部材Ｐｓを示しており、実施例の場合には、少なくとも双方の配管部材Ｐ，Ｐｓを支持することができる。また、支持ローラ３ａ…の全部、又は被駆動ローラとなる少なくとも支持ローラ３ａは、ゴムローラ或いは表面をゴム素材等により滑止処理したローラを使用する。
【００１１】
さらに、支持ローラ３ａ…の上方に位置する内部空間Ｓｉには、左右前後に配した四つ（一般的には複数）の規制ローラ１１ａ，１１ｂ，１１ｃ，１１ｄを回動自在に支持する。この場合、右側の規制ローラ１１ａと１１ｃを支持するに際しては、シャーシ部２の前後面であって、軸受部２１ｐ，２１ｐの上方における内壁面に、前後一対の軸受部２３ｐ，２３ｐを設け、これらの軸受部２３ｐ，２３ｐにより、前後一対の規制ローラ１１ａと１１ｃを取付けた右側のシャフト２４ｐを回動自在に支持する。なお、左側の規制ローラ１１ｂと１１ｄも右側の規制ローラ１１ａと１１ｃと対称となるように同様に取付ける。そして、Ｕ形空間Ｓｕを形成する側面部２ｐ…に、各規制ローラ１１ａ…に対応する開口部２ｐｓ…を形成し、この開口部２ｐｓ…から、各規制ローラ１１ａ…の一部をＵ形空間Ｓｕに露出させる。これにより、各規制ローラ１１ａ，１１ｂ…は、Ｕ形空間Ｓｕに収容した配管部材Ｐの左右に位置し、配管部材Ｐは横方への変位が規制されるため、安定に支持される。
【００１２】
一方、シャーシ部２の内部空間Ｓｉには、支持ローラ３ａ（３ｃ）を低速で回転させる回転駆動部４を配設する。回転駆動部４は、駆動モータと減速機構を組合わせたギアモータ部２５を備え、このギアモータ部２５の回転出力軸２５ｓに取付けた駆動ローラ２６の周面は、支持ローラ３ａの周面に当接させる。この駆動ローラ２６は、ゴムローラ或いは少なくとも表面をゴム素材等により滑止処理したローラを使用する。また、シャーシ部２の正面には、外部から操作できる電源スイッチ２７を配設するとともに、シャーシ部２の内部空間Ｓｉには、交換可能なバッテリ２８を配設し、ギアモータ部２５，電源スイッチ２７及びバッテリ２８は配線２９により接続する。この場合、配管部材Ｐは低速で回転するように回転駆動部４の回転速度を設定する。通常、配管部材Ｐが数秒から数分程度で１回転するように設定できる。
【００１３】
なお、エネルギ源は、バッテリ２８の代わりに、電池，ＡＣ電源等を用いてもよい。また、回転駆動部４として駆動モータを使用した場合を例示したが、他の駆動源としてゼンマイを用いてもよい。この場合、バッテリ（電池）切やＡＣ電源の無い場所でも使用できるとともに、省エネルギ性にも優れる。
【００１４】
他方、空転支持器Ｕｓは、図３に示すように構成する。この空転支持器Ｕｓは、上述した回転支持器Ｕから回転駆動部４を除いた構成、即ち、図１に示した回転支持器Ｕから、ギアモータ部２５（駆動ローラ２６），電源スイッチ２７，バッテリ２８及び配線２９を除いた構成を有する。なお、図３に示す空転支持器Ｕｓおいて、１２はシャーシ部，１３ａ，１３ｂは支持ローラを示す。その他、図３において図１と同一部分には、同一符号を付して、その構成を明確にするとともに、その詳細な説明は省略する。
【００１５】
次に、本実施例に係る配管部材の変形防止方法を含む変形防止装置１の使用方法及び動作について、図１〜図４を参照して説明する。
【００１６】
まず、使用に際しては、回転支持器Ｕと空転支持器Ｕｓを用意し、図４に示すように、両者を、配管部材Ｐを放置する放置面Ｆに離間して置く。そして、配管部材Ｐを、回転支持器Ｕと空転支持器Ｕｓの各Ｕ形空間Ｓｕ…に収容すれば、配管部材Ｐは、支持ローラ３ａ…，１３ａ…により支持される（図１参照）。この状態を図４に示す。そして、電源スイッチ２７をオンにすれば、ギアモータ部２５が作動し、駆動ローラ２６が低速で回転する。駆動ローラ２６の回転により支持ローラ３ａ（３ｃ）が回転し、さらに、支持ローラ３ａ（３ｃ）に接する配管部材Ｐも低速で回転する。
【００１７】
これにより、配管部材Ｐは常時ゆっくりと回転を継続することになり、一方側の周面のみに太陽光線が照射され、配管部材Ｐが変形（湾曲）してしまう問題は解消される。また、常に、変形の無い真直な配管部材Ｐを使用できるため、工事に当たっても余計な労力と工数が費やされる問題が解消されるとともに、施工品質の向上及び均質化が図られる。しかも、簡易な構成で済むとともに、配管部材Ｐは低速回転させればよいため、使用する駆動モータも小型のもので足り、容易かつ安価に実施可能となる。
【００１８】
なお、実施例は、回転支持器Ｕと空転支持器Ｕｓの双方を使用した場合を示したが、空転支持器Ｕｓは必ずしも必要となるものではない。即ち、図４に仮想線で示す回転支持器Ｕｏのように、シャーシ部２（１２）の前後方向の幅を広げることにより、支持ローラ３ａと３ｃ（３ｂと３ｄ）の間隔を広げて構成し、配管部材Ｐの中央を支持するようにすれば、単一の回転支持器Ｕｏのみで支持でき、この場合、空転支持器Ｕｓは不要となる。回転支持器Ｕと空転支持器Ｕｓの双方を用いる場合には、配管部材の長さに左右されることなく、確実かつ安定に支持することができるとともに、単一の回転支持器Ｕｏを用いる場合は、小型化及び低コスト化を図れる利点がある。
【００１９】
また、配管部材Ｐが長い場合には、複数の空転支持器Ｕｓ…を使用し、配管部材Ｐを三点以上の多点で支持することができる。さらに、複数の回転支持器Ｕを横方向に連結した形態の構成を採用すれば、複数の配管部材Ｐ…を同時に支持でき、この場合、一つの回転駆動部４を複数の回転支持器Ｕで共用する構成を採用できる。その他、配管部材Ｐ…を上方へ複数段に重ねて収容できるように構成してもよい。この場合、下側の配管部材Ｐの回転により上側の配管部材Ｐを回転させることができる。
【００２０】
他方、図５及び図６には、上述した配管部材Ｐを持ち運ぶ際に用いて好適な把持具３０を示す。通常、配管部材Ｐは、径２０〔ｃｍ〕，長さ４〔ｍ〕にも及ぶため、作業者にとってひじょうに持ちにくく、持ち運ぶ際に不安定になるなど、無用な労力を強いられるとともに、作業能率の低下も招く。しかし、把持具３０を用いることにより、容易，安定かつ能率的に持ち運び可能となる。
【００２１】
把持具３０は、二つの把持具半体３１ｉ，３１ｊを有する。一方の把持具半体３１ｉは、二つのアーム部３２ｉ，３３ｉと、このアーム部３２ｉ，３３ｉの先端（下端）に固着した把持部３４ｉと、アーム部３２ｉ，３３ｉの上端に固定したグリップ部３５ｉを有するとともに、他方の把持具半体３１ｊは、二つのアーム部３２ｊ，３３ｊと、このアーム部３２ｊ，３３ｊの先端（下端）に固着した把持部３４ｊと、アーム部３２ｊ，３３ｊの上端に固定したグリップ部３５ｊを有する。この場合、アーム部３２ｊと３３ｊの間隔は、アーム部３２ｉと３３ｉの間隔よりも狭くし、アーム部３２ｉと３３ｉの間にアーム部３２ｊと３３ｊが入るようにする。また、アーム部３２ｉ，３２ｊとアーム部３３ｊ，３３ｉ間は、軸部３６により回動自在に連結するとともに、アーム部３２ｊと３３ｊ間には、スリーブ部３７を介在させ、このスリーブ部３７の中に軸部３６を挿通させる。そして、スリーブ部３７の外周面に把持部３８を固着する。なお、各アーム部３２ｉ，３２ｊ，３３ｉ，３３ｊは、配管部材Ｐを把持した際に、当該配管部材Ｐに当たらないように湾曲形成するとともに、双方のグリップ部３５ｉ，３５ｊを同時に持つことができるように形状を選定する。
【００２２】
これにより、使用する際には、図５に仮想線で示すように、把持具半体３１ｉと３１ｊを開いた状態にし、把持部３４ｉ，３４ｊ，３８間に、配管部材Ｐを入れ、グリップ部３５ｉと３５ｊを一緒に手で握れば、配管部材Ｐの外周面は、各把持部３４ｉ，３４ｊ，３８により三点支持される。よって、配管部材Ｐは把持具３０により把持され、作業者は、片手でグリップ部３５ｉ，３５ｊを持つことにより、容易に配管部材Ｐを持ち運ぶことができる。
【００２３】
以上、実施例について詳細に説明したが、本発明は、このような実施例に限定されるものではなく、細部の構成，形状，数量，数値，手法等において本発明の要旨を逸脱しない範囲で任意に変更，追加，削除することができる。例えば、配管部材Ｐ…をトラック等で運搬し、施工現場に届いた時点で変形している場合も多いが、この場合、本発明に係る変形防止方法により、太陽光の下で１０分間程度回転させれば、変形した配管部材Ｐ…を真直に矯正することができる。したがって、用途は任意である。
【００２４】
【発明の効果】
このように、本発明に係る配管部材の変形防止方法は、シャーシ部に回動自在に支持され、かつ周面で配管部材を支持する左右に配した複数の支持ローラと、少なくとも一つの支持ローラを回転させる回転駆動部とを有する回転支持器を、配管部材を放置する放置面に置くとともに、シャーシ部に回動自在に支持され、かつ周面により配管部材を支持する左右に配した複数の支持ローラを有する空転支持器を、放置面に置き、回転支持器の支持ローラにより配管部材の任意の位置を支持するとともに、空転支持器の支持ローラにより配管部材の他の位置を支持し、回転駆動部により、配管部材が数秒から数分で１回転するように支持ローラを回転させるようにしたため、次のような顕著な効果を奏する。
【００２５】
（１）  配管部材は常時ゆっくりと回転を継続するため、一方側の周面のみに太陽光線が照射され、配管部材が変形する問題を解消できる。したがって、工事に際して余計な労力と工数が費やされる問題を解消できるとともに、施工品質の向上及び均質化を図ることができる。
【００２６】
（２）  簡易に構成できるとともに、配管部材は低速で回転させればよいため、使用する駆動モータも小型のもので足りるなど、容易かつ安価に実施することができる。
【００２７】
（３）  回転支持器に加え、シャーシ部と、このシャーシ部に回動自在に支持され、かつ周面で配管部材を支持する左右に配した複数の支持ローラを有する空転支持器を用いたため、配管部材の長さに左右されることなく、確実かつ安定に支持することができる。
【００２８】
（４）  好適な実施の形態により、シャーシ部に、このシャーシ部に回動自在に支持され、かつ支持ローラの上方に配することにより、配管部材の横方への変位を規制する複数の規制ローラを設ければ、配管部材をより安定に支持することができる。
【図面の簡単な説明】
【図１】  本発明に係る変形防止方法に用いる変形防止装置の回転支持器の一部断面正面図、
【図２】  同変形防止装置における回転支持器の一部断面平面図、
【図３】  同変形防止装置における空転支持器の一部断面正面図、
【図４】  同変形防止装置の使用説明図、
【図５】  配管部材を把持する把持具の正面図、
【図６】  同把持具の側面図、
【符号の説明】
２：シャーシ部，３ａ：支持ローラ，３ｂ…：支持ローラ，４：回転駆動部，１２：シャーシ部，１３ａ：支持ローラ，１３ｂ…：支持ローラ，Ｐ：配管部材，Ｐｓ：配管部材，Ｕ：回転支持器，Ｕｓ：空転支持器，Ｆ：放置面，Ｘｏ：位置，Ｘｓ：位置
【図１】
0004204250.tif 000002
【図２】
0004204250.tif 000003
【図３】
0004204250.tif 000004
【図４】
0004204250.tif 000005
【図５】
0004204250.tif 000006
【図６】
0004204250.tif 000007